(57)【特許請求の範囲】
【請求項１】
地面を掘削して形成された溝内でこの溝の長手方向に沿って単位管を接続し、その後前記溝を埋める管埋設工法であって、
前記溝の底部に堰の役割も果たす管載置台を設け、前記管載置台上に前記単位管をその端面同士を突き合わせて載置し、前記単位管の突き合わせ部分には、予め、作業スペースとしての会所を形成し、現在接続作業を行っている前記単位管同士の接続部の近傍で、この現在接続作業を行っている前記接続部側と、既に接続作業を完了している接続部側とを仕切るように前記管載置台を設け、次いで、前記管載置台より接続作業が完了した接続部側を流動体で埋め戻すことを特徴とする管埋設工法。
【請求項２】
前記流動体を、前記溝を形成する際に掘削した土砂で形成したことを特徴とする請求項１記載の管埋設工法。
【請求項３】
前記管埋設工法は、前記流動体を前記単位管の下端からその高さの１／３以内の位置まで充填することを特徴とする請求項２記載の管埋設工法。
【発明の詳細な説明】
【０００１】
【発明の属する技術分野】
本発明は、上下水道管やガス管等の管を地下に埋設する管埋設工法に関する。
【０００２】
【従来の技術】
地下に水道管等の管を埋設する場合、図３及び図４に示すように、水平方向に延びる溝５０を地面に掘削し、この溝５０の中に例えば６ｍ、９ｍ又は１２ｍの長さの単位管５１‥５１をその長手方向の端面５２‥５２を順次突き合わせて１つの水道管等の長い管を形成することが従来から行われている。単位管５１‥５１は、外側面に被着された塗装膜等を保護するため、溝５０に積載された複数の砂袋５３‥５３の上に両端が載置され、各単位管５１‥５１の端面が突き合わされている。その後、端面部分５２‥５２が順次溶接され、１つの長い管が形成される。また、溶接された端面部分は、非破壊検査を行い、欠陥が見つかればこれを修復する作業を行っている。なお、作業者が溶接や検査をしやすいように、溝５０にはその長手方向において、端面５２‥５２に対応する部分に他の部分より広く形成された会所５０Ａ，５０Ｂ‥が設けられている。
【０００３】
通常、会所５０Ａでは溶接作業が行われ、溶接作業が終了した会所５０Ｂでは検査・修復作業が行われる。そして、会所５０Ｂで検査・修復作業が行われた後、その後方５０Ｃでは、溝５０に掘削した土砂を再び投入して、水道管等を地面に埋設している。
【０００４】
従来、土砂が管に降りかかった際に発生する振動で、溶接作業に支障を来すことを防止するため、溶接作業が行われている会所５０Ａと検査・修復作業が行われている５０Ｂとの間では、土砂の投入は行われていなかった。
【０００５】
【発明が解決しようとする課題】
そのため、管埋設工事の効率が悪く工期が長期間に及んでいた。
【０００６】
本発明はかかる点に鑑み成されたものであり、溶接作業が行われている会所と検査・修復作業が行われている会所との間で埋め戻し作業を可能とし、工期を短縮できる管埋設工法を提供する。
【０００７】
【課題を解決するための手段】
請求項１の発明は、地面を掘削して形成された溝内でこの溝の長手方向に沿って単位管を接続し、その後前記溝を埋める管埋設工法であって、前記溝の底部に堰の役割も果たす管載置台を設け、前記管載置台上に前記単位管をその端面同士を突き合わせて載置し、前記単位管の突き合わせ部分には、予め、作業スペースとしての会所を形成し、現在接続作業を行っている前記単位管同士の接続部の近傍で、この現在接続作業を行っている前記接続部側と、既に接続作業を完了している接続部側とを仕切るように前記管載置台を設け、次いで、前記管載置台より接続作業が完了した接続部側を流動体で埋め戻すことに特徴を有するものである。
【０００８】
本発明によれば、管を埋設するために形成した溝を埋め戻すときに使用される物質が流動体であるため、管にこの流動体が降りかかっても、その時の衝撃による振動が極めて小さい。そのため、長い溝において、埋め戻しの対象となる部分に対応する位置の単位管同士を繋ぐため、この単位管の端面同士を溶接しても埋め戻しの振動による悪影響を受けることが無く溶接欠陥を防止できる。また、流動体で埋め戻すので、流動体から水分が抜け出した後の地質を均質にでき、ランマーによる押し固めを要しない。その結果、溶接作業を行いつつ埋め戻し作業を同時に行うことができ、施工期間を大幅に短縮する。
【０００９】
請求項２の発明では、請求項１記載の管埋設工法において、前記流動体を、前記溝を形成する際に掘削した土砂で形成したことを特徴とする。
【００１０】
本発明によれば、掘削した土砂を投棄すること無く有効に利用できる。また、土砂と水とを混合して流動体を形成しているので、溝に充填後は自然に乾燥して固化する。
【００１１】
請求項３の発明では、請求項２記載の管埋設工法において、前記流動体を前記単位管の下端からその高さの１／３以内の位置まで充填することを特徴とする。
【００１２】
本発明によれば、単位管を流動体に浮動させることなく作業を行うことができる。即ち、土砂と水とを混合して形成された流動体の比重より単位管の比重が小さくても、浮力で発生するまで流動体を充填せず、適切な量の流動体を充填することで単位管の位置を固定でき、効率よく作業を行うことができる。
【００１３】
【発明の実施の形態】
以下、本発明の実施の形態について図面を参照しながら説明する。
【００１４】
図１及び図２は、本発明の１実施形態にかかる管埋設工法で水道管１を埋設している様子を示している。この水道管１は地表に形成された溝２の内部で複数の単位管３‥３の端面４，４同士が突き合わされるようにして、溝２の長手方向に沿って延びるようにして設けられている。
【００１５】
溝２は図示しない油圧ショベル等の掘削機で地表から一定の深さ、水平方向に沿って延びるように掘削して形成されており、この溝２の内部に所定の長さの単位管３‥３がクレーン装置等で吊下げられて溝２の内部に搬入される。これら単位管３‥３の外表面には単位管が腐食するのを防止する防腐剤が被着されている。搬入された単位管３は、この防腐剤を保護するために溝の底部には直接置かれず、溝２の底部に各単位管３‥３両端部に対応する位置に設けられた管載置台６の上に載置される。なお、単位管３の長さは、６ｍ、９ｍ又は１２ｍのものが一般には使用されるがこれには限定されず、更に短い管や長い管を使用してもく、これらの中間の長さの管を用いてもよいのは勿論である。また、管載置台は複数の砂袋５‥５を積載して形成したものである。
【００１６】
砂袋５‥５で形成された管載置台６に載置された単位管３‥３はその長手方向の端面４，４同士が突き合わされ、突き合わされた部分が順次溶接されて１本の長い水道管１が形成される。溶接作業が終了した後は、超音波探傷検査法や磁気探傷検査法等の非破壊検査法によって溶接欠陥の有無が検査される。この検査で溶接欠陥が発見された場合には直ちに修復作業が行われ、欠陥の無い水道管が形成される。なお、溝２には、その長手方向において、単位管３，３の繋ぎめに対応する部分に他の部分より深さ及び幅が大きく掘削された会所２Ａ，２Ｂ‥が形成されている。この会所２Ａ，２Ｂ・・は、作業者が溝２の中で溶接作業や検査等をやりやすくするために形成されたものである。この図１では、図の左側の会所２Ａで溶接作業を行い、右側の会所２Ｂで検査・修復作業を行って、効率よく作業が進められている。
【００１７】
更に、本発明では、溶接作業及び検査・補修作業を行っている最中に管載置台６，６の間に流動体７が注ぎ込まれ、溶接作業及び検査・修復作業と同時に水道管１の埋め戻し作業が既に行われている。本実施形態においては、注ぎ込まれる流動体７は、溝２を形成する際に掘削した土砂に水を混合して形成したものが使用されている。このように土砂に水を混合して形成した流動体７を使用して埋め戻し作業を行っているので、単位管３にこの流動体７が降りかかっても、土砂を直接投入する場合と違って振動がほとんど発生せず、溶接作業に悪影響を与えることが無く、溶接欠陥の発生を防止することができる。
【００１８】
管載置台６，６は、これら管載置台６，６の間に注ぎ込まれる流動体７を堰き止める堰としての役割をも果たしている。この堰を構成する砂袋５‥５は、図２に示すように、単位管３の下側と両側とにおいて単位管３の外側面と溝の内壁面との空間を閉塞するように隙間なく積載されている。砂袋５‥５は、単位管３の直径Ｄの約半分（Ｄ／２）の高さまで単位管３の外周面に沿って積載されている。そして、溝２の内壁面と単位管３の外周面と砂袋５‥５を積載して形成した堰とで形成される空間部分に流動体７を単位管３の直径Ｄの約１／３（Ｄ／３）の高さまで注ぎ込んでいる。但し、流動体７を注ぎ込むと単位管３に浮力が作用するため、流動体７をＤ／３の高さ以上に注ぎ込むと、この浮力で単位管３が浮かび上がることもある。埋め戻し作業を早急に行わなければならず、Ｄ／３の高さ以上に流動体７を注入する場合には、単位管３にウエイトを載せて、浮かび上がるのを防止するとよい。
【００１９】
なお、本実施形態では複数の砂袋を積載して堰を形成するものについて説明したがこれには限定されず、粘土を壁のように積み上げる等他流動体を確実に堰きとめることができるものを利用すればよい。また、流動体として掘削された土砂に水を混合したものを利用した場合について説明したがこれには限定されず、例えば、水に土砂及びセメントを混合せしめた流動体等その他のものを使用しても構わない。
【００２０】
以上、会所２Ａで溶接作業をしている間に会所２Ｂで検査・修復作業を行っている場合について説明したが、既に会所２Ｂの位置の繋ぎめの検査・修復作業が終了している場合には、会所２Ｂの直近では堰を形成することを要しない。この場合には、単位管３の外表面に被着された防腐剤を保護するために、単位管３の水平が保たれるように支持できる高さまで砂袋５‥５を積み上げれば十分である。
【００２１】
以上のようにして充填された流動体は、内部に含有される水分が溝の側壁面や底面から地面に吸収されて短時間で通常の土砂となる。なお、このようにして埋め戻すとその地質が均質な物となりランマーなどで突き固める必要が無く時間を節約できる。その後は、溝の残りの部分に通常行うようにして掘削した土砂を再び投入し、その後ランマー等で突き固めて水道管を埋設する。但し、溶接作業が既に完了している場合は、土砂投入による振動を考慮する必要がないので、流動体の水分が乾燥するのを待つまでもなく溝に土砂を投入して埋め戻せばよい。
【００２２】
【発明の効果】
以上、本発明によれば管を埋設するために形成された溝を埋め戻す際、管に振動を与えることないので、単位管同士の溶接を行いつつ埋め戻しを行うことができ、管埋設の施工期間を大幅に短縮できる。
【図面の簡単な説明】
【図１】本発明の１実施形態にかかる管埋設工法で水道管を埋設する様子を示す説明図。
【図２】図１のＩＩ−ＩＩ断面を示す溝及び単位管の横断面図。
【図３】従来の管埋設工法で管を埋設する様子を示す説明図。
【図４】図３のＩＶ−ＩＶ断面を示す溝及び単位管の横断面図。
【符号の説明】
１  水道管
２  溝
２Ａ，２Ｂ  会所
３  単位管
５  砂袋
６  管載置台
７  流動体
【図１】
0004203200.tif 000002
【図２】
0004203200.tif 000003
【図３】
0004203200.tif 000004
【図４】
0004203200.tif 000005